(57)【要約】【課題】環境条件−４５℃〜＋５０℃、電圧変動定格の±３５％、通信基地局中継器の負荷による発熱変化１００Ｗ〜３００Ｗの複合多元的組み合わせの相互作用において、設置箱内の中継器周囲の作動環境を適温（温度を−１５℃から環境温度＋５℃）にすることの可能な自動開閉式シャッターを設けた保管ケースを提供することを目的とする。【解決手段】自然対流促進効果のあるピラミッド型ケース形状と開閉シャッターをケース内温度で自動的に開閉制御する形状記憶合金を駆動源としたシャッターによりケース内を作動安全温度に保つことができる通信基地局設置箱。【選択図】図２
2004281993.tif 000002
【特許請求の範囲】
【請求項１】
通信基地局中継器の周囲温度変化・自己発熱量の変動に応じて断熱シャッターを自動的に開閉する手段を設けたことを特徴とする保管ケース
【請求項２】
上記ケースのシャッター開閉は電圧変動の影響を受けない形状記憶合金（以下ＳＭＡという）と反撥バネの組み合わせで行う手段を設けたことを特徴とする保管ケース
【請求項３】
下辺部より周囲空気を吸入し、上部より自然対流により排気する形状記憶合金による自動開閉を行うシャッターを設けたピラミッド型形状を特徴とする保管ケース
【請求項４】
停電時に−１５℃以下となってしまった場合、通信基地局中継器の作動を復活させる為の加温用ヒータを内蔵し、そのヒータの熱源として正特性サーミスタを使用したことを特徴とする保管ケース
【発明の詳細な説明】
【０００１】
【発明の属する技術分野】
通信基地局中継器の作動環境を適正にする耐寒−耐熱保管ケース（以下保管ケース）の分野に属する。
【０００２】
【従来の技術】
この種中継機器の設置条件は電柱・屋上等の屋外のため、場所や季節により−４５℃〜＋５０℃の大きな周囲温度変化が生じ、しかも内部保管の中継器の自己発熱も約１００Ｗ〜３００Ｗと負荷に対応し発熱量が変化する。このため従来外気温が−１５℃以下のときには中継器の作動不良が生じ、サービス上問題であった。
前記のように環境条件は−４５℃〜＋５０℃。中継器の内部発熱量変化は１００Ｗ〜３００Ｗに変動する。当然の事ながら耐寒対策として断熱密閉ケースの場合外気温が−４５℃の時、中継器の自己発熱が最小の１００Ｗでもケース内−１０℃以上保持は可能であるが、中継器の発熱が最大３００Ｗに変動しかつ、外気温度が３０℃上昇して−１５℃になるとケース内は約８０ｄｅｇ温度上昇し中継器作動不良を生じる。これらを電気的に温度制御（加温・冷却）すると、使用環境の電圧変動がへき地の場合±３５％に達するので、制御機器コストが膨大になり、商業的に採算不可能であった。
【０００３】
【発明が解決しようとする課題】
環境条件−４５℃〜＋５０℃（直射日光）、電圧変動定格の±３５％、中継器の負荷による自己発熱変化１００Ｗ〜３００Ｗの多元的組み合わせの相互作用において、中継器周辺の温度を−１５℃から環境温度＋５℃に自動的に保持することで中継器を適正に作動させるための保管ケースの提供
【０００４】
【課題を解決するための手段】
１．−１５℃より低い温度の時に庫内温度を−１５℃以上へ加温する為の熱源として中継器自体の自己発熱量を活用することとし、最小電力の１００Ｗ時に保管ケース内温度を、余裕を見て−５℃以上となるような形状寸法・断熱構造のケースとした。
２．ケースはピラミッド形状とし、外気温の上昇時や、中継器の自己発熱が最大の３００Ｗに変動し、ケース内温度が上昇し過ぎた場合自動的にシャッターを動作させ、下辺横側部より周囲空気を吸入し、上部より自然対流により排気させる機構を設けた。断熱材も底面及び下辺側面部及びシャッターを重点とし、上辺への断熱を減少させた。
３．このシャッターの開閉作動を行う駆動部には、サイド及び上部の各シャッター毎に形状記憶合金（以下ＳＭＡという）を用い、ケース内の温度により自動開閉を行う如くした。
４．耐久性もへき地に設置使用されることから１０年以上必要とされ、上記ケースのシャッター開閉には電圧変動の影響を受けないＳＭＡと反撥バネの組み合わせで行い当然開閉回数は１０万回以上（１日１０回開閉作動しても１０年間で３７，０００回）、即ち３０年以上の作動耐久性を保ち得るものとした。
上記方式で通常年１回のメンテナンスで環境条件、電圧変動、中継機発熱変動の組み合わせ変化に対応し、かつ長寿命を達成したものである。
５．更に万が一の停電時に−１５℃以下となってしまった場合、停電が解除となっても自己発熱がない為にケース内温度が上がらず、中継器が復活できないままとなってしまう恐れがある為、ケース内部に加温用ヒータと制御用サーモスタットを設け、停電解除時にヒータをＯＮさせケース内温度を−１５℃以上とできるようにした。
６．この加温用ヒータには正特性サーミスタを使用し、正特性サーミスタは電圧変動があっても温度を自己制御するので、±３５％の電圧変動でも発熱量を一定にすることができるようにした。
【０００５】
【発明の実施の形態】
次に、この発明の一実施例を図面に基づいて説明する。
図１は外観図であり、図２，３は構造図である。保管ケース１は、ピラミッド型形状で天面に上シャッター２、側面に横シャッター３，４が取付けられており、上シャッター２はＳＭＡバネ５とバイアスバネ６から成る駆動装置。横シャッター３．４はＳＭＡバネ７とバイアスバネ８から成る駆動装置により開閉する構造である。通信基地局中継器９の下面に正特性サーミスタとサーモスタットからなる加温ヒータ１０を設けている。
【０００６】
次に動作について説明すると、外気温が−１５℃より低い時には保管ケース内温度を上げてやらなければならず、図２のようにＳＭＡバネ５，７とバイアスバネ６，８が伸び上シャッター２と横シャッター３，４が閉じ通信基地局中継器９の自己発熱により保管ケース内を温め、基地局中継器の動作を安定化させる。
【０００７】
基地局中継器の負荷変動や、昼夜の温度変化・季節の温度変化等により保管ケース内温度が上昇し過ぎた場合は、図２のようにＳＭＡバネ５，７とバイアスバネ６，８が縮み、上シャッター２と横シャッター３，４が開き、横シャッター部から外気が流入し、上シャッター部から出ていくことにより保管ケース内温度を冷却して温度の上昇し過ぎを防止し、やはり基地局中継器の動作を安定させる。
【０００８】
停電により−１５℃より低い温度に下がってしまった場合、停電復帰後に加温ヒータ１０で加温し、通信基地局が復活後は加温ヒータ１０をサーモスタットによりＯＦＦさせる。
【０００９】
【発明の効果】
本発明においては、ケース内温度を調節する為の熱源を使用せず、通信基地局の自己発熱を活用したことと、シャッター開閉機構にＳＭＡとバイアスバネを組み合わせた駆動装置により構成し、電気部品を使用していないことから電力を一切使用しないため、省エネであるばかりでなく、±３５％という大幅な電圧変動等も考慮しなくてすむ為、機構がシンプルであり、安価に製作ことができる。
又、万が一の停電時に−１５℃より低い温度に下がってしまった場合、通信基地局の動作を復活させる為の加温ヒータは搭載しており、この加温ヒータに電圧変動に関係なく、温度を一定に保つよう自己制御する正特性サーミスタを使用する事により、停電復帰時の低温時にはハイパワーで加温し、温度が上昇するにつれてパワーダウンさせる為効率的であり、±３５％という電圧変動にも十分許容できる。この加温ヒータはケース内温度が上昇し、通信基地局が復活すればサーモスタットによりＯＦＦさせ、通常時にはＯＮさせないようになている。
【００１０】
【図面の簡単な説明】
【図１】保管ケースの外観図
【図２】シャッターが開いた状態の保管ケースの概略構成を示す断面図
【図３】シャッターが閉じた状態の保管ケースの概略構成を示す断面図
【符号の説明】
１：保管ケース
２：上シャッター
３，４：横シャッター
５：通信基地局中継器
６，８：形状記憶合金（ＳＭＡ）バネ
７，９：バイアスバネ
１０：加温ヒータ
【図１】
2004281993.tif 000003
【図２】
2004281993.tif 000004
【図３】
2004281993.tif 000005